(57)【特許請求の範囲】
【請求項１】
複数のカードに対して金額をチャージするために利用可能なギフトを管理するギフト管理装置において、
前記ギフトを識別するためのギフトＩＤに対応づけて当該ギフトＩＤによって識別されるギフトに対応する金額を示すギフト金額情報を格納するギフト情報格納手段と、
ユーザによって指定されたギフトＩＤを受信する第１の受信手段と、
前記ユーザによって指定されたカードの種類を示すカード種類情報を受信する第２の受信手段と、
前記ユーザによって保持されているカードを識別するためのカード番号を受信する第３の受信手段と、
前記第１の受信手段によって受信されたギフトＩＤに対応づけて前記ギフト情報格納手段に格納されているギフト金額情報を取得する取得手段と、
前記第３の受信手段によって受信されたカード番号及び前記取得されたギフト金額情報を、前記第２の受信手段によって受信されたカード種類情報によって示される種類のカードに関する情報を管理するためのカード情報管理システムに送信する送信手段と、
前記複数のカードの種類毎に、当該カードの種類を示すカード種類情報及び当該カードに対して利用可能なギフトを識別するためのギフトＩＤを対応づけて格納するカードイシュア情報格納手段と、
前記第１の受信手段によって受信されたギフトＩＤに対応づけて前記カードイシュア情報格納手段に格納されているカード種類情報によって示されるカードの種類を前記ユーザに対して提示する提示手段と
を具備し、
前記第２の受信手段は、前記提示されたカードの種類のうち前記ユーザによって指定されたカードの種類を示すカード種類情報を受信する
ことを特徴とするギフト管理装置。
【請求項２】
前記カード種類情報に対応づけて前記カードイシュア情報格納手段に格納されているギフトＩＤを変更する変更手段を更に具備することを特徴とする請求項１記載のギフト管理装置。
【請求項３】
商品の金額を示す商品金額情報を受信する第４の受信手段と、
前記第４の受信手段によって受信された商品金額情報によって示される商品の金額を前記取得されたギフト金額情報によって示される金額から減算する減算手段と、
前記減算手段によって前記ギフト金額情報によって示される金額から前記商品の金額が減算された残額を示すギフト金額情報を、前記第１の受信手段によって受信されたギフトＩＤに対応づけて前記ギフト情報格納手段に格納されているギフト金額情報に上書きする上書き手段と
を更に具備することを特徴とする請求項１記載のギフト管理装置。
【請求項４】
前記第１の受信手段によって受信されたギフトＩＤが前記ギフト情報格納手段に格納されているかを判定する判定手段と、
前記第１の受信手段によって受信されたギフトＩＤが前記ギフト情報格納手段に格納されていないと判定された場合、当該ギフトＩＤによって識別されるギフトが利用できない旨を前記ユーザに対して通知する通知手段と
を更に具備することを特徴とする請求項１記載のギフト管理装置。
【請求項５】
前記送信手段によって前記カード番号及び前記ギフト金額情報が送信された場合、当該ギフト金額情報を格納するギフト利用履歴格納手段と、
前記カード情報管理システムからの要求に応じて、前記ギフト利用履歴格納手段に格納されたギフト金額情報を当該カード情報管理システムに送信する送信手段と
を更に具備することを特徴とする請求項１記載のギフト管理装置。
【請求項６】
複数のカードに対して金額をチャージするために利用可能なギフトを管理するギフト管理装置であって、前記ギフトを識別するためのギフトＩＤに対応づけて当該ギフトＩＤによって識別されるギフトに対応する金額を示すギフト金額情報を格納するギフト情報格納手段を有するギフト管理装置が実行するギフト管理方法であって、
ユーザによって指定されたギフトＩＤを受信するステップと、
前記ユーザによって指定されたカードの種類を示すカード種類情報を受信するステップと、
前記ユーザによって保持されているカードを識別するためのカード番号を受信するステップと、
前記受信されたギフトＩＤに対応づけて前記ギフト情報格納手段に格納されているギフト金額情報を取得するステップと、
前記受信されたカード番号及び前記取得されたギフト金額情報を、前記受信されたカード種類情報によって示される種類のカードに関する情報を管理するためのカード情報管理システムに送信するステップと
を具備し、
前記ギフト管理装置は、前記複数のカードの種類毎に、当該カードの種類を示すカード種類情報及び当該カードに対して利用可能なギフトを識別するためのギフトＩＤを対応づけて格納するカードイシュア情報格納手段を更に有し、
前記受信されたギフトＩＤに対応づけて前記カードイシュア情報格納手段に格納されているカード種類情報によって示されるカードの種類を前記ユーザに対して提示するステップを更に具備し、
前記カード種類情報を受信するステップにおいて、前記提示されたカードの種類のうち前記ユーザによって指定されたカードの種類を示すカード種類情報を受信する
ことを特徴とするギフト管理方法。
【請求項７】
前記カード種類情報に対応づけて前記カードイシュア情報格納手段に格納されているギフトＩＤを変更するステップを更に具備することを特徴とする請求項６記載のギフト管理方法。
【請求項８】
商品の金額を示す商品金額情報を受信するステップと、
前記受信された商品金額情報によって示される商品の金額を前記取得されたギフト金額情報によって示される金額から減算するステップと、
前記ギフト金額情報によって示される金額から前記商品の金額が減算された残額を示すギフト金額情報を、前記受信されたギフトＩＤに対応づけて前記ギフト情報格納手段に格納されているギフト金額情報に上書きするステップと
を更に具備することを特徴とする請求項６記載のギフト管理方法。
【請求項９】
前記受信されたギフトＩＤが前記ギフト情報格納手段に格納されているかを判定するステップと、
前記受信されたギフトＩＤが前記ギフト情報格納手段に格納されていないと判定された場合、当該ギフトＩＤによって識別されるギフトが利用できない旨を前記ユーザに対して通知するステップと
を更に具備することを特徴とする請求項６記載のギフト管理方法。
【請求項１０】
前記ギフト管理装置は、ギフト利用履歴格納手段を更に有し、
前記カード番号及び前記ギフト金額情報が送信された場合、当該ギフト金額情報を前記ギフト利用履歴格納手段に格納するステップと、
前記カード情報管理システムからの要求に応じて、前記ギフト利用履歴格納手段に格納されたギフト金額情報を当該カード情報管理システムに送信するステップと
を更に具備することを特徴とする請求項６記載のギフト管理方法。
【請求項１１】
複数のカードに対して金額をチャージするための利用可能なギフトを管理するギフト管理装置であって、前記ギフトを識別するためのギフトＩＤに対応づけて当該ギフトＩＤによって識別されるギフトに対応する金額を示すギフトギフト金額情報を格納するギフト情報格納手段を有するギフト管理装置のコンピュータによって実行されるギフト管理プログラムであって、
前記コンピュータに、
ユーザによって指定されたギフトＩＤを受信するステップと、
前記ユーザによって指定されたカードの種類を示すカード種類情報を受信するステップと、
前記ユーザによって保持されているカードを識別するためのカード番号を受信するステップと、
前記受信されたギフトＩＤに対応づけて前記ギフト情報格納手段に格納されているギフト金額情報を取得するステップと、
前記受信されたカード番号及び前記取得されたギフト金額情報を、前記受信されたカード種類情報によって示される種類のカードに関する情報を管理するためのカード情報管理システムに送信するステップと
を実行させ、
前記ギフト管理装置は、前記複数のカードの種類毎に、当該カードの首里を示すカード種類情報及び当該カードに対して利用可能なギフトを識別するためのギフトＩＤを対応づけて格納するカードイシュア情報格納手段を更に有し、
前記コンピュータに、前記受信されたギフトＩＤに対応づけて前記カードイシュア情報格納手段に格納されているカード種類情報によって示されるカードの種類を前記ユーザに対して提示するステップを更に実行させ、
前記カード種類情報を受信するステップにおいて、前記提示されたカードの種類のうち前記ユーザによって指定されたカードの種類を示すカード種類情報を受信する
ことを特徴とするギフト管理プログラム。
【請求項１２】
前記コンピュータに、前記カード種類情報に対応づけて前記カードイシュア情報格納手段に格納されているギフトＩＤを変更するステップを更に実行させることを特徴とする請求項１１記載のギフト管理プログラム。
【請求項１３】
前記コンピュータに、
商品の金額を示す商品金額情報を受信するステップと、
前記受信された商品金額情報によって示される商品の金額を前記取得されたギフト金額情報によって示される金額から減算するステップと、
前記ギフト金額情報によって示される金額から前記商品の金額が減算された残額を示すギフト金額情報を、前記受信されたギフトＩＤに対応づけて前記ギフト情報格納手段に格納されているギフト金額情報に上書きするステップと
を更に実行させることを特徴とする請求項１１記載のギフト管理プログラム。
【請求項１４】
前記コンピュータに、
前記受信されたギフトＩＤが前記ギフト情報格納手段に格納されているかを判定するステップと、
前記受信されたギフトＩＤが前記ギフト情報格納手段に格納されていないと判定された場合、当該ギフトＩＤによって識別されるギフトが利用できない旨を前記ユーザに対して通知するステップと
を更に実行させることを特徴とする請求項１１記載のギフト管理プログラム。
【請求項１５】
前記ギフト管理装置は、ギフト利用履歴格納手段を更に有し、
前記コンピュータに、
前記カード番号及び前記ギフト金額情報送信された場合、当該ギフト金額情報を前記ギフト利用履歴格納手段に格納するステップと、
前記カード情報管理システムからの要求に応じて、前記ギフト利用履歴格納手段に格納されたギフト金額情報を当該カード情報管理システムに送信するステップと
を更に実行させることを特徴とする請求項１１記載のギフト管理プログラム。
【発明の詳細な説明】
【技術分野】
【０００１】
本発明は、ユーザに配布されるギフトを管理するギフト管理装置、ギフト管理方法及びギフト管理プログラムに関する。
【背景技術】
【０００２】
近年、例えば企業等が特定の金額（またはポイント）等をギフト（ユーザ向けのノベルティ）としてユーザに配布することが考えられている。
【０００３】
ギフトが配布されたユーザは、ユーザ端末において例えばギフトを識別するためのギフトＩＤ等を入力することによって、当該ギフトに対応する金額を例えば電子マネーとして当該ユーザが保持する所定のカード（電子マネーカード等）にチャージ（入金）することができる。
【０００４】
これに関連する技術として、例えばポイントと電子マネーとの変換を行う技術が開示されている（例えば、特許文献１を参照）。
【先行技術文献】
【特許文献】
【０００５】
【特許文献１】特開２００６−０５３９３３号公報
【発明の概要】
【発明が解決しようとする課題】
【０００６】
ところで、上記したように金額をチャージすることが可能なカードには複数の種類がある。
【０００７】
しかしながら、上記したギフトを利用する場合、当該ギフトに対して予め設定されている例えば１種類のカードにしか当該ギフトに対応する金額をチャージできない場合が多い。
【０００８】
つまり、ユーザに配布されたギフトに対して当該ギフトを利用することができるカード（の種類）が予め定められているため、当該ギフトをユーザが利用する際に、ユーザにとって所望の種類のカードに金額をチャージすることはできない。
【０００９】
そこで、本発明の目的は、ユーザにとって所望の種類のカードに対してギフトを利用することが可能なギフト管理装置、ギフト管理方法及びギフト管理プログラムを提供することにある。
【課題を解決するための手段】
【００１０】
本発明の１つの態様によれば、複数のカードに対して金額をチャージするために利用可能なギフトを管理するギフト管理装置が提供される。このギフト管理装置は、前記ギフトを識別するためのギフトＩＤに対応づけて当該ギフトＩＤによって識別されるギフトに対応する金額を示すギフト金額情報を格納するギフト情報格納手段と、ユーザによって指定されたギフトＩＤを受信する第１の受信手段と、前記ユーザによって指定されたカードの種類を示すカード種類情報を受信する第２の受信手段と、前記ユーザによって保持されているカードを識別するためのカード番号を受信する第３の受信手段と、前記第１の受信手段によって受信されたギフトＩＤに対応づけて前記ギフト情報格納手段に格納されているギフト金額情報を取得する取得手段と、前記第３の受信手段によって受信されたカード番号及び前記取得されたギフト金額情報を、前記第２の受信手段によって受信されたカード種類情報によって示される種類のカードに関する情報を管理するためのカード情報管理システムに送信する送信手段と、前記複数のカードの種類毎に、当該カードの種類を示すカード種類情報及び当該カードに対して利用可能なギフトを識別するためのギフトＩＤを対応づけて格納するカードイシュア情報格納手段と、前記第１の受信手段によって受信されたギフトＩＤに対応づけて前記カードイシュア情報格納手段に格納されているカード種類情報によって示されるカードの種類を前記ユーザに対して提示する提示手段とを具備し、前記第２の受信手段は、前記提示されたカードの種類のうち前記ユーザによって指定されたカードの種類を示すカード種類情報を受信する。
【００１１】
また、本発明の１つの態様によれば、複数のカードに対して金額をチャージするために利用可能なギフトを管理するギフト管理装置であって、前記ギフトを識別するためのギフトＩＤに対応づけて当該ギフトＩＤによって識別されるギフトに対応する金額を示すギフト金額情報を格納するギフト情報格納手段を有するギフト管理装置が実行するギフト管理方法であって、ユーザによって指定されたギフトＩＤを受信するステップと、前記ユーザによって指定されたカードの種類を示すカード種類情報を受信するステップと、前記ユーザによって保持されているカードを識別するためのカード番号を受信するステップと、前記受信されたギフトＩＤに対応づけて前記ギフト情報格納手段に格納されているギフト金額情報を取得するステップと、前記受信されたカード番号及び前記取得されたギフト金額情報を、前記受信されたカード種類情報によって示される種類のカードに関する情報を管理するためのカード情報管理システムに送信するステップとを具備し、前記ギフト管理装置は、前記複数のカードの種類毎に、当該カードの種類を示すカード種類情報及び当該カードに対して利用可能なギフトを識別するためのギフトＩＤを対応づけて格納するカードイシュア情報格納手段を更に有し、前記受信されたギフトＩＤに対応づけて前記カードイシュア情報格納手段に格納されているカード種類情報によって示されるカードの種類を前記ユーザに対して提示するステップを更に具備し、前記カード種類情報を受信するステップにおいて、前記提示されたカードの種類のうち前記ユーザによって指定されたカードの種類を示すカード種類情報を受信するギフト管理方法が提供される。
【００１２】
また、本発明の１つの態様によれば、複数のカードに対して金額をチャージするための利用可能なギフトを管理するギフト管理装置であって、前記ギフトを識別するためのギフトＩＤに対応づけて当該ギフトＩＤによって識別されるギフトに対応する金額を示すギフトギフト金額情報を格納するギフト情報格納手段を有するギフト管理装置のコンピュータによって実行されるギフト管理プログラムであって、前記コンピュータに、ユーザによって指定されたギフトＩＤを受信するステップと、前記ユーザによって指定されたカードの種類を示すカード種類情報を受信するステップと、前記ユーザによって保持されているカードを識別するためのカード番号を受信するステップと、前記受信されたギフトＩＤに対応づけて前記ギフト情報格納手段に格納されているギフト金額情報を取得するステップと、前記受信されたカード番号及び前記取得されたギフト金額情報を、前記受信されたカード種類情報によって示される種類のカードに関する情報を管理するためのカード情報管理システムに送信するステップとを実行させ、前記ギフト管理装置は、前記複数のカードの種類毎に、当該カードの首里を示すカード種類情報及び当該カードに対して利用可能なギフトを識別するためのギフトＩＤを対応づけて格納するカードイシュア情報格納手段を更に有し、前記コンピュータに、前記受信されたギフトＩＤに対応づけて前記カードイシュア情報格納手段に格納されているカード種類情報によって示されるカードの種類を前記ユーザに対して提示するステップを更に実行させ、前記カード種類情報を受信するステップにおいて、前記提示されたカードの種類のうち前記ユーザによって指定されたカードの種類を示すカード種類情報を受信することを特徴とするギフト管理プログラムが提供される。
【発明の効果】
【００１３】
本発明は、ユーザにとって所望の種類のカードに対してギフトを利用することを可能とする。
【図面の簡単な説明】
【００１４】
【図１】本発明の第１の実施形態に係るギフト管理装置１００の主として機能構成を示すブロック図。
【図２】図１に示すギフト管理装置１００に含まれるギフト情報格納部１０２のデータ構造の一例を示す図。
【図３】図１に示すギフト管理装置１００に含まれるギフト属性情報格納部１０３のデータ構造の一例を示す図。
【図４】図１に示すギフト管理装置１００に含まれるカードイシュア情報格納部１０４のデータ構造の一例を示す図。
【図５】図１に示すギフト管理装置１００に含まれるギフト利用履歴格納部１０９のデータ構造の一例を示す図。
【図６】図１に示すギフト管理装置１００に含まれるギフトＩＤ発行部１０１によってギフトＩＤが発行される際の処理手順を示すフローチャート。
【図７】ユーザに配布されたギフトを当該ユーザが利用する際の本実施形態に係るギフト管理装置１００の処理手順を示すフローチャート。
【図８】ギフトＩＤを入力するためのユーザ端末２００の画面の一例を示す図。
【図９】ギフトを利用可能なカードの種類が表示された際のユーザ端末２００の画面の一例を示す図。
【図１０】ギフトＩＤ及びカード番号を入力するためのユーザ端末２００の画面の一例を示す図。
【図１１】ギフトの利用を確認するためのユーザ端末２００の画面の一例を示す図。
【図１２】本発明の第２の実施形態に係るギフト管理装置４００の主として機能構成を示すブロック図。
【図１３】販売管理システム５００において商品が販売される際にギフトが利用される場合における本実施形態に係るギフト管理装置４００の処理手順を示すフローチャート。
【発明を実施するための形態】
【００１５】
以下、図面を参照して、本発明の各実施形態について説明する。
【００１６】
［第１の実施形態］
図１は、本発明の第１の実施形態に係るギフト管理装置１００の主として機能構成を示すブロック図である。このギフト管理装置１００は、複数のカードに対して利用可能なギフトを管理する機能を有する。なお、複数のカードには、例えば各種電子マネーが保持される電子マネーカード等が含まれる。また、ギフト管理装置１００において管理されるギフトは、例えば当該ギフトを配布するプレゼンター等に販売され、当該プレゼンター等からユーザに対して配布される。なお、ギフトが配布されたユーザは、当該ギフトを利用することによって上記したカードに対して金額をチャージ（入金）することが可能である。
【００１７】
ギフト管理装置１００は、当該装置の各機能を実現するためのハードウェア構成、またはハードウェアとソフトウェアとの組み合わせ構成として実現されている。ソフトウェアは、予め記憶媒体またはネットワークからインストールされ、ギフト管理装置１００（のコンピュータ）にその機能を実現させるためのプログラム（ギフト管理プログラム）からなる。
【００１８】
図１に示すように、本実施形態に係るギフト管理装置１００は、ギフトを利用するユーザ（つまり、ギフトが配布されたユーザ）によって利用されるユーザ端末２００と通信可能に接続されている。また、ギフト管理装置１００は、ギフトが利用されるカードに関する情報を管理する（つまり、カードに金額をチャージする処理等を実行する）ためのカード情報管理システム３００と通信可能に接続されている。なお、図１においては１つのカード情報管理システム３００のみが示されているが、当該カード情報管理システム３００は、上記したカードの種類（例えば、電子マネーの種類）毎に存在する。また、カード情報管理システム３００は、当該カード情報管理システムが情報を管理しているカードを発行しているカード発行会社によって管理されている。
【００１９】
ギフト管理装置１００は、ギフトＩＤ発行部１０１、ギフト情報格納部１０２、ギフト属性情報格納部１０３、カードイシュア情報格納部１０４、設定変更部１０５、送受信部１０６、利用可能カード特定部１０７、ギフト登録処理部１０８、ギフト利用履歴格納部１０９及び精算処理部１１０を含む。
【００２０】
ギフトＩＤ発行部１０１は、ユーザに対して配布されるギフトを識別するためのギフトＩＤを発行する。ギフトＩＤ発行部１０１は、予め設定されている桁数及び文字種等の設定情報に基づいてギフトＩＤをランダムに生成する。なお、ギフトＩＤ発行部１０１は、１つのグループに属する複数のギフトＩＤを発行する（つまり、ギフトＩＤをグループ単位で発行する）。
【００２１】
ギフト情報格納部１０２には、ギフトＩＤ発行部１０１によって発行されたギフトＩＤが格納される。ギフト情報格納部１０２に格納されたギフトＩＤは例えば配布用カード等に記載され、当該配布用カードがユーザに配布されることによってギフトが配布される。なお、ギフト情報格納部１０２には、ギフトＩＤに対応づけて当該ギフトＩＤによって識別されるギフトの有効期限を示す有効期限情報、利用開始日を示す利用開始日情報及び当該ギフトに対応する金額を示すギフト金額情報が格納される。
【００２２】
ギフト属性情報格納部１０３には、ギフトＩＤ発行部１０１によって発行されたギフトＩＤによって識別されるギフトに関する属性情報が格納される。具体的には、ギフト属性情報格納部１０３には、属性情報として、ギフトＩＤに対応づけて当該ギフトＩＤが属するグループを識別するためのグループＩＤが格納される。
【００２３】
カードイシュア情報格納部１０４には、上記したカードの種類毎に、当該カードを発行（つまり、管理）しているカード発行会社に関する情報が格納される。具体的には、カードイシュア情報格納部１０４には、カードの種類を示すカード種類情報、当該カードを発行しているカード発行会社を識別するためのカード発行会社ＩＤ及び当該カードに対して利用可能なギフトを識別するためのギフトＩＤ（が属するグループを識別するためのグループＩＤ）が対応づけて格納される。
【００２４】
設定変更部１０５は、例えばギフト管理装置１００の管理者の操作に応じて、ギフト情報格納部１０２、ギフト属性情報格納部１０３及びカードイシュア情報格納部１０４に格納されている各種情報を変更する。具体的には、設定変更部１０５は、カード種類情報及びカード発行会社ＩＤに対応づけてカードイシュア情報格納部１０４に格納されているグループＩＤを変更することによって、当該カード種類情報によって示される種類のカード（当該カード発行会社ＩＤによって識別されるカード発行会社から発行されているカード）に対して利用可能なギフトＩＤを変更することができる。
【００２５】
送受信部１０６は、ユーザによって指定されたギフトＩＤを当該ユーザによって利用されるユーザ端末２００から受信する。また、送受信部１０６は、ユーザによって指定されたカードの種類を示すカード種類情報をユーザ端末２００から受信する。更に、送受信部１０６は、ユーザによって保持されているカードを識別するためのカード番号をユーザ端末２００から受信する。また、送受信部１０６は、後述するように各種情報をユーザ端末２００及びカード情報管理システム３００に送信する機能を有する。
【００２６】
利用可能カード特定部１０７は、送受信部１０６によって受信されたギフトＩＤによって識別されるギフトを利用可能なカード（の種類）を特定する。利用可能カード特定部１０７は、送受信部１０６によって受信されたギフトＩＤに対応づけてギフト属性情報格納部１０３に格納されているグループＩＤを特定し、当該グループＩＤに対応づけてカードイシュア情報格納部１０４に格納されているカード種類情報を特定する。利用可能カード特定部１０７は、ここで特定されたカード種類情報によって示される種類のカードを、送受信部１０６によって受信されたギフトＩＤによって識別されるギフトを利用可能なカードとして特定する。なお、利用可能カード特定部１０７によって特定されたカード（の種類）は、例えば送受信部１０６を介してユーザ端末２００においてユーザに対して提示される。このようにカードの種類がユーザに対して提示されると、当該ユーザは、ユーザ端末２００上において当該提示されたカードの種類のうち当該ユーザにとって所望の種類のカード（つまり、ギフトに対応する金額をチャージしたいカード）を選択することができる。この場合、ユーザによって選択されたカードの種類を示すカード種類情報がユーザ端末２００から送信され、上記したように送受信部１０６によって受信される。
【００２７】
ギフト登録処理部１０８は、送受信部１０６によって受信されたギフトＩＤに対応づけてギフト情報格納部１０２に格納されているギフト金額情報を取得する。ギフト登録処理部１０８は、取得されたギフト金額情報及び送受信部１０６によって受信されたカード番号を、送受信部１０６を介してカード情報管理システム３００に送信する。このとき、ギフト登録処理部１０８は、送受信部１０６によって受信されたカード種類情報によって示される種類のカードに関する情報を管理するためのカード情報管理システム３００に、ギフト金額情報及びカード番号を送信する。これにより、送受信部１０６によって受信されたギフトＩＤによって識別されるギフトがカード情報管理システム３００に登録される。この場合、カード情報管理システム３００においては、カード番号によって識別されるカードに対してギフト金額情報によって識別される金額をチャージする処理が実行される。
【００２８】
また、ギフト登録処理部１０８は、送受信部１０６によって受信されたギフトＩＤによって識別されるギフトがカード情報管理システム３００に登録されると、当該ギフトがユーザによって利用された旨を示す情報をギフト利用履歴格納部１０９に登録する。
【００２９】
ギフト利用履歴格納部１０９には、ユーザによって利用されたギフトを識別するためのギフトＩＤ、当該ギフトが利用された日（つまり、カード情報管理システム３００に登録された日）、当該ギフトに対応する金額を示すギフト金額情報及び当該カード情報管理システム３００を管理しているカード発行会社を識別するためのカード発行会社ＩＤが対応づけて格納される。
【００３０】
精算処理部１１０は、カード情報管理システム３００からの要求に応じて、当該カード情報管理システム３００を管理しているカード発行会社を識別するためのカード発行会社ＩＤに対応づけてギフト利用履歴格納部１０９に格納されているギフト金額情報を、当該カード情報管理システム３００に対して送信する。なお、精算処理部１１０は、送受信部１０６を介してギフト金額情報を送信する。このようにカード情報管理システム３００に対して送信されたギフト金額情報に基づいて、例えばギフト管理装置１００及び当該カード情報管理システム３００間における精算処理を実行することができる。
【００３１】
図２は、図１に示すギフト管理装置１００に含まれるギフト情報格納部１０２のデータ構造の一例を示す。
【００３２】
図２に示すように、ギフト情報格納部１０２には、ギフトＩＤに対応づけて有効期限情報、利用開始日情報及びギフト金額情報が対応づけて格納される。
【００３３】
ギフトＩＤは、ギフトＩＤ発行部１０１によって発行されたギフトＩＤである。有効期限情報は、対応づけられているギフトＩＤによって識別されるギフトの有効期限を示す。利用開始日情報は、対応づけられているギフトＩＤによって識別されるギフトの利用開始日を示す。また、ギフト金額情報は、対応づけられているギフトＩＤによって識別されるギフトに対応する金額を示す。
【００３４】
図２に示す例では、ギフト情報格納部１０２には、ギフトＩＤ「ギフトＩＤ１」に対応づけて有効期限情報「ｘｘ／ｘｘ／ｘｘ」、利用開始日情報「ｙｙ／ｙｙ／ｙｙ」及びギフト金額情報「１０００」が格納されている。これによれば、ギフトＩＤ「ギフトＩＤ１」によって識別されるギフトの有効期限は「ｘｘ／ｘｘ／ｘｘ」であり、当該ギフトの利用開始日が「ｙｙ／ｙｙ／ｙｙ」であり、当該ギフトに対応する金額が１０００（円）であることが示されている。
【００３５】
図２においてはギフトＩＤ「ギフトＩＤ１」のみが示されているが、ギフト情報格納部１０２には、他のギフトＩＤについても同様に格納されている。
【００３６】
図３は、図１に示すギフト管理装置１００に含まれるギフト属性情報格納部１０３のデータ構造の一例を示す。
【００３７】
図３に示すように、ギフト属性情報格納部１０３には、ギフトＩＤに対応づけてグループＩＤが格納される。ギフトＩＤは、ギフトＩＤ発行部１０１によって発行されたギフトＩＤである。グループＩＤは、対応づけられているギフトＩＤが属するグループを識別するための識別子である。
【００３８】
図３に示す例では、ギフト属性情報格納部１０３には、ギフトＩＤ「ギフトＩＤ１」に対応づけてグループＩＤ「グループＩＤ１」が格納されている。これによれば、ギフトＩＤ「ギフトＩＤ１」がグループＩＤ「グループＩＤ１」によって識別されるグループに属することが示されている。
【００３９】
図３においてはギフトＩＤ「ギフトＩＤ１」のみが示されているが、ギフト属性情報格納部１０３には、他のギフトＩＤについても同様に格納されている。
【００４０】
図４は、図１に示すギフト管理装置１００に含まれるカードイシュア情報格納部１０４のデータ構造の一例を示す。
【００４１】
図４に示すように、カードイシュア情報格納部１０４には、カード種類情報、カード発行会社ＩＤ及び許容グループＩＤが対応づけて格納される。
【００４２】
カード種類情報は、カードの種類を示す。カード発行会社ＩＤは、対応づけられているカード種類情報によって示される種類のカードを発行しているカード発行会社を識別するための識別子である。また、許容グループＩＤは、対応づけられているカード種類情報によって示される種類のカード（つまり、カード発行会社ＩＤによって識別されるカード発行会社によって発行されているカード）に対して利用可能なギフトを識別するためのギフトＩＤが属するグループを識別するための識別子である。
【００４３】
図４に示す例では、カードイシュア情報格納部１０４には、カード種類情報「Ａ」、カード発行会社ＩＤ「カード発行会社ＩＤ１」及び許容グループＩＤ「グループＩＤ１」が対応づけて格納されている。これによれば、カード種類情報「Ａ」によって示される種類のカードがカード発行会社ＩＤ「カード発行会社ＩＤ１」によって識別されるカード発行会社によって発行されていることが示されている。また、グループＩＤ「グループＩＤ１」によって識別されるグループに属するギフトＩＤによって識別されるギフトは、カード種類情報「Ａ」によって示される種類のカード（カード発行会社ＩＤ「カード発行会社ＩＤ１」によって識別されるカード発行会社によって発行されているカード）に対して利用可能であることが示されている。
【００４４】
図４においてはカード種類情報「Ａ」のみが示されているが、カードイシュア情報格納部１０４には、他のカード種類情報についても同様に格納されている。
【００４５】
図５は、図１に示すギフト管理装置１００に含まれるギフト利用履歴格納部１０９のデータ構造の一例を示す。
【００４６】
図５に示すように、ギフト利用履歴格納部１０９には、ギフトＩＤに対応づけて利用日情報、ギフト金額情報及びカード発行会社ＩＤが格納されている。
【００４７】
ギフトＩＤは、ユーザによって利用されたギフトを識別するための識別子である。利用日情報は、対応づけられているギフトＩＤによって識別されるギフトが利用された日を示す。ギフト金額情報は、対応づけられているギフトＩＤによって識別されるギフト（つまり、ユーザによって利用されたギフト）に対応する金額を示す。カード発行会社ＩＤは、対応づけられているギフトＩＤによって識別されたギフトが利用されたカード（当該ギフトに対応する金額がチャージされたカード）を発行しているカード発行会社を識別するための識別子である。換言すれば、カード発行会社ＩＤは、対応づけられているギフトＩＤによって識別されるギフトが登録されたカード情報管理システム３００を管理しているカード発行会社を識別するための識別子である。
【００４８】
図５に示す例では、ギフト利用履歴格納部１０９には、ギフトＩＤ「ギフトＩＤ１」に対応づけて利用日情報「ｚｚ／ｚｚ／ｚｚ」、ギフト金額情報「１０００」及びカード発行会社ＩＤ「カード発行会社ＩＤ１」が格納されている。これによれば、ギフトＩＤ「ギフトＩＤ１」によって識別されるギフトが「ｚｚ／ｚｚ／ｚｚ」に利用され、当該ギフトに対応する金額が１０００（円）であり、カード発行会社ＩＤ「カード発行会社ＩＤ１」によって識別されるカード発行会社によって発行されているカードに対して当該ギフトが利用されたことが示されている。
【００４９】
図５においてはギフトＩＤ「ギフトＩＤ１」のみが示されているが、ギフト利用履歴格納部１０９には、他のユーザによって利用されたギフトを識別するためのギフトＩＤについても同様に格納されている。
【００５０】
次に、図６のフローチャートを参照して、図１に示すギフト管理装置１００に含まれるギフトＩＤ発行部１０１によってギフトＩＤが発行される際の処理手順について説明する。なお、ギフトＩＤ発行部１０１は、例えば１つのグループに属する複数のギフトＩＤを発行する。
【００５１】
まず、ギフトＩＤ発行部１０１は、ギフトＩＤを生成する（ステップＳ１）。このとき、ギフトＩＤ発行部１０１は、例えば設定情報に基づいてギフトＩＤをランダムに生成する。ここで、設定情報には、ギフトＩＤに用いられる例えば桁数及び文字種等が予め設定されている。例えば設定情報において桁数が１６であり、文字種が英数混在であることが設定されている場合には、ギフトＩＤ発行部１０１は、このような設定情報に基づいて英数混在の１６桁のギフトＩＤを生成する。また、設定情報において桁数が２０であり、文字種が数字であることが設定されている場合には、ギフトＩＤ発行部１０１は、このような設定情報に基づいて数字列により構成される２０桁のギフトＩＤを生成する。
【００５２】
次に、ギフトＩＤ発行部１０１は、ギフト情報格納部１０２を参照して、ステップＳ１において生成されたギフトＩＤが当該ギフト情報格納部１０２に格納されているか否かを判定する。この処理により、ギフトＩＤ発行部１０１は、ステップＳ１において生成されたギフトＩＤと同一のギフトＩＤが過去に生成されているか否かを判定する（ステップＳ２）。具体的には、ステップＳ１において生成されたギフトＩＤがギフト情報格納部１０２に格納されている場合には、当該ギフトＩＤと同一のギフトＩＤが過去に生成されていると判定される。一方、ステップＳ１において生成されたギフトＩＤがギフト情報格納部１０２に格納されていない場合には、当該ギフトＩＤと同一のギフトＩＤが過去に生成されていないと判定される。
【００５３】
同一のギフトＩＤが過去に生成されていると判定された場合（ステップＳ２のＹＥＳ）、ステップＳ１に戻って処理が繰り返される。
【００５４】
一方、同一のギフトＩＤが過去に生成されていないと判定された場合（ステップＳ２のＮＯ）、ギフトＩＤ発行部１０１は、ステップＳ１において生成されたギフトＩＤをギフト情報格納部１０２に格納（登録）する（ステップＳ３）。このとき、ギフトＩＤ発行部１０１は、ギフトＩＤに対応づけて当該ギフトＩＤによって識別されるギフトの有効期限を示す有効期限情報、当該ギフトの利用開始日を示す利用開始日情報及び当該ギフトに対応する金額を示すギフト金額情報をギフト情報格納部１０２に格納する。
【００５５】
なお、ここでギフト情報格納部１０２に格納される有効期限情報（によって示される有効期限）、利用開始日情報（によって示される利用開始日）及びギフト金額情報（によって示される金額）は、予め定められていてもよいし、ギフトＩＤ発行部１０１によってギフトＩＤが発行される際にギフト管理装置１００の管理者によって指定されても構わない。
【００５６】
次に、ギフトＩＤ発行部１０１は、ステップＳ１において発行されたギフトＩＤ及び当該ギフトＩＤが属するグループを識別するためのグループＩＤをギフト属性情報格納部１０３に格納（登録）する（ステップＳ４）。
【００５７】
なお、上述したようにギフトＩＤ発行部１０１は、同一のグループに属する複数のギフトＩＤとして例えば設定されている数のギフトＩＤを発行する。この場合、設定されている数のギフトＩＤを発行するまで、上記したステップＳ１〜Ｓ４の処理が繰り返される。これにより、同一のグループに属する複数のギフトＩＤが発行される。このように発行されたギフトＩＤは、ギフト属性情報格納部１０３において同一のグループＩＤに対応づけられる。
【００５８】
また、上述したギフトＩＤが発行される処理とは別の処理として、ギフトＩＤ発行部１０１によって発行されたギフトＩＤの各々が属するグループを識別するためのグループＩＤが所定のカード種類情報に対応づけてカードイシュア情報格納部１０４に登録される。これにより、上記したギフトＩＤ発行部１０１によって発行されたギフトＩＤによって識別されるギフトが利用可能なカードの種類がカードイシュア情報格納部１０４に対して設定される。
【００５９】
上記したようにギフト情報格納部１０２、ギフト属性情報格納部１０３及びカードイシュア情報格納部１０４には必要な情報が登録（設定）されるが、本実施形態においては、これらの情報が当該各部１０２〜１０４に登録された後であっても、設定変更部１０５によって当該情報を適宜変更することが可能である。具体的には、設定変更部１０５によれば、カードイシュア情報格納部１０４に格納されている情報（例えば、グループＩＤ）等を適宜変更することが可能である。つまり、本実施形態においては、各種情報が一旦登録された後であっても、必要に応じて柔軟に対応することが可能となる。
【００６０】
次に、図７のフローチャートを参照して、ユーザに配布されたギフトを当該ユーザが利用する際の本実施形態に係るギフト管理装置１００の処理手順について説明する。
【００６１】
ここで、ユーザ端末２００を利用するユーザには、上記したようにギフトＩＤ発行部１０１によって発行されたギフトＩＤ（ギフト情報格納部１０２に格納されたギフトＩＤ）が記載された配布用カード（つまり、ギフト）が配布されているものとする。
【００６２】
ギフトを利用する際には、ユーザは、ユーザ端末２００に予め指定された画面を表示し、当該画面上において配布用カードに記載されたギフトＩＤを入力する。
【００６３】
ここで、図８は、ギフトＩＤを入力するためのユーザ端末２００の画面の一例を示す。図８に示すように、ユーザ端末２００の画面２１０には、ギフトＩＤを入力するための入力欄２１１及び「次へ」ボタン２１２が設けられている。
【００６４】
ユーザは、ユーザ端末２００を操作することにより、画面２１０に設けられているギフトＩＤの入力欄２１１に配布用カードに記載されたギフトＩＤを入力することができる。以下の説明においては、この入力欄２１１に対して入力されたギフトＩＤを対象ギフトＩＤと称する。
【００６５】
画面２１０に設けられている入力欄２１１に対象ギフトＩＤが入力された後に、ユーザによってユーザ端末２００が操作されることにより、画面２１０に設けられている「次へ」ボタン２１２が指定（押下）されると、画面２１０に設けられている入力欄２１１に入力された対象ギフトＩＤがギフト管理装置１００に送信される。
【００６６】
この場合、ギフト管理装置１００に含まれる送受信部１０６は、ユーザ端末２００から送信された対象ギフトＩＤを受信する（ステップＳ１１）。
【００６７】
次に、対象ギフトＩＤがギフト情報格納部１０２に登録（格納）されているか否かが判定される（ステップＳ１２）。この処理により、対象ギフトＩＤがギフト管理装置１００に含まれるギフトＩＤ発行部１０１によって発行されたギフトＩＤであるか否かが判定される。
【００６８】
対象ギフトＩＤがギフト情報格納部１０２に登録されていると判定された場合（ステップＳ１２のＹＥＳ）、利用可能カード特定部１０７は、当該対象ギフトＩＤに対応づけてギフト属性情報格納部１０３に格納されているグループＩＤを特定する。ここで特定されるグループＩＤによって識別されるグループは、対象ギフトＩＤが属するグループである。
【００６９】
利用可能カード特定部１０７は、特定されたグループＩＤに対応づけてカードイシュア情報格納部１０４に格納されているカード種類情報を特定する（ステップＳ１３）。ここで特定されたカード種類情報によって示されるカードの種類は、対象ギフトＩＤによって識別されるギフトを利用可能なカードの種類である。
【００７０】
次に、利用可能カード特定部１０７は、特定されたカード種類情報を、送受信部１０６を介してユーザ端末２００に送信する。これにより、利用可能カード特定部１０７によって特定されたカード種類情報によって示されるカードの種類（対象ギフトＩＤによって識別されるギフトを利用可能なカードの種類）がユーザ端末２００において提示される（ステップＳ１４）。なお、利用可能カード特定部１０７は、特定されたカード種類情報とともに、対象ギフトＩＤに対応づけてギフト情報格納部１０２に格納されているギフト金額情報をユーザ端末２００に送信しても構わない。
【００７１】
ここで、図９は、対象ギフトＩＤによって識別されるギフトを利用可能なカードの種類が表示（提示）された際のユーザ端末２００の画面の一例を示す。ここでは、利用可能カード特定部１０７によってカード種類情報「Ａ」、「Ｂ」及び「Ｃ」とギフト金額情報「１０００」がユーザ端末装置２００に送信されたものとする。
【００７２】
この場合、図９に示すようにユーザ端末２００の画面２２０においては、利用可能カード特定部１０７によって送信されたギフト金額情報「１０００」によって示される金額（１０００円）が対象ギフトＩＤによって識別されるギフトに対応する金額（ギフトＩＤ残額）として表示されている。
【００７３】
また、ユーザ端末２００の画面２２０には、利用可能カード特定部１０７によって送信されたカード種類情報の各々に対応するボタンが設けられている。ここでは、カード種類情報「Ａ」に対応するボタン（以下、単に「Ａ」ボタンと表記）２２１、カード種類情報「Ｂ」に対応するボタン（以下、単に「Ｂ」ボタンと表記）２２２及びカード種類情報「Ｃ」に対応するボタン（以下、単に「Ｃ」ボタンと表記）２２３が設けられている。
【００７４】
この場合、ユーザは、ユーザ端末２００の画面２２０上に設けられているボタン２２１〜２２３のうちの１つを選択（押下）することによって、当該ボタンに対応するカードの種類を、対象ギフトＩＤによって識別されるギフトに対応する金額（ここでは、１０００円）の登録先となるカードの種類（つまり、ユーザにとって所望のカードの種類）として指定することができる。ユーザは、このようにカードの種類を指定することによって、当該ユーザにとって所望の種類のカードに対してギフトを利用することが可能となる。
【００７５】
なお、ユーザによってボタン２２１〜２２３のうちの１つが選択されると、ユーザ端末２００は、当該ボタンに対応するカード種類情報をギフト管理装置１００に送信する。
【００７６】
このようにユーザ端末２００からカード種類情報が送信されると、ギフト管理装置１００に含まれる送受信部１０６は、当該カード種類情報を受信する（ステップＳ１５）。
【００７７】
一方、ユーザ端末２００においては、ギフトＩＤ及びカード番号を入力するための画面が更に表示される。この場合、上記したようにユーザによって指定されたカードの種類に応じて表示される画面が適宜変更されるような構成であっても構わない。
【００７８】
ここで、図１０は、ギフトＩＤ及びカード番号を入力するためのユーザ端末２００の画面の一例を示す。図１０に示すように、ユーザ端末２００の画面２３０には、ギフトＩＤを入力するための入力欄２３１、カード番号を入力するための入力欄２３２及び「次へ」ボタン２３３が設けられている。
【００７９】
なお、入力欄２３１には、上述した図８に示す画面２１０の入力欄に入力されたギフトＩＤと同一のギフトＩＤ（つまり、対象ギフトＩＤ）が入力される。また、入力欄２３２には、ユーザが保持するカードであって、当該ユーザによって指定された種類のカードを識別するためのカード番号が入力される。
【００８０】
このように、入力欄２３１に対して対象ギフトＩＤが入力され、入力欄２３２に対してカード番号が入力された後に、「次へ」ボタン２３３が指定（押下）されると、ユーザ端末２００は、当該対象ギフトＩＤ及びカード番号をギフト管理装置に送信する。
【００８１】
なお、図１０に示す画面２３０に設けられている入力欄２３１において対象ギフトＩＤが入力されるものとして説明したが、上述したように図８に示す画面２１０に設けられている入力欄２１１に対して既に対象ギフトＩＤが入力されているため、当該画面２３０においては、カード番号のみを入力させるような構成であってもよい。
【００８２】
このようにユーザ端末２００から対象ギフトＩＤ及びカード番号が送信されると、ギフト管理装置１００に含まれる送受信部１０６は、当該対象ギフトＩＤ及びカード番号を受信する（ステップＳ１６）。
【００８３】
ギフト登録処理部１０８は、送受信部１０６によって受信された対象ギフトＩＤに対応づけてギフト情報格納部１０２に格納されているギフト金額情報を取得する（ステップＳ１７）。ギフト登録処理部１０８は、対象ギフトＩＤの利用に関する情報（例えば、送受信部１０６によって受信された対象ギフトＩＤ、カード番号及び取得されたギフト金額情報）を、送受信部１０６を介してユーザ端末２００に送信する。
【００８４】
この場合、ユーザ端末２００においては、図１１に示すような対象ギフトＩＤによって識別されるギフトの利用を確認するための画面２４０が表示される。
【００８５】
このユーザ端末２００の画面２４０には、ギフトの利用に関する情報が表示される。図１１に示す例では、ギフト登録処理部１０８によって送信された対象ギフトＩＤ、カード番号及びギフト金額情報等が表示されている。
【００８６】
このユーザ端末２００の画面２４０には、「登録」ボタン２４１及び「戻る」ボタン２４２が設けられている。この画面２４０において、「登録」ボタン２４１が指定（押下）されると、ギフト管理装置１００においてギフトの登録処理（つまり、ギフトを利用するための処理）が続行される。一方、画面２４０において、「戻る」ボタン２４２が指定（押下）されると、当該画面２４０が例えば上述した図１０に示す画面２３０に戻って処理が繰り返される。
【００８７】
このようにユーザ端末２００の画面２４０において「登録」ボタン２４１が指定された場合、ギフト管理装置１００に含まれるギフト登録処理部１０８は、送受信部１０６によって受信されたカード番号及び取得されたギフト金額情報を、送受信部１０６を介してカード情報管理システム３００に送信する（ステップＳ１８）。このとき、送受信部１０６によって受信されたカード番号及びギフト登録処理部１０８によって取得されたギフト金額情報は、送受信部１０６によって受信されたカード種類情報によって示される種類のカード（つまり、ユーザによって指定された種類のカード）に関する情報を管理するカード情報管理システム３００に対して送信される。
【００８８】
この場合、カード番号及びギフト金額情報が送信されたカード情報管理システム３００においては、当該カード番号によって識別されるカードに対して当該ギフト金額情報によって示される金額をチャージする処理が実行される。これにより、ユーザの対象ギフトＩＤによって識別されるギフトの利用が完了される。
【００８９】
次に、ギフト登録処理部１０８は、対象ギフトＩＤに対応づけて当該対象ギフトＩＤによって識別されるギフトが利用された日を示す利用日情報、当該ギフトに対応する金額を示すギフト金額情報（つまり、カード情報管理システム３００に送信されたギフト金額情報）及び当該カード情報管理システム３００を管理するカード発行会社を識別するためのカード発行会社ＩＤをギフト利用履歴格納部１０９に登録する（ステップＳ１９）。ここで、ギフト利用履歴格納部１０９に登録されるカード発行会社ＩＤは、送受信部１０６によって受信されたカード種類情報に対応づけてカードイシュア情報格納部１０４に格納されているカード発行会社ＩＤである。
【００９０】
このように、ギフト利用履歴格納部１０９には、ギフトの利用履歴が蓄積される。このようなギフト利用履歴格納部１０９を参照することにより、精算処理部１１０は、利用日（情報）が予め定められた期間内にあるギフト金額情報であって、同一のカード発行会社ＩＤに対応づけられているギフト金額情報（の合計）を当該カード発行会社ＩＤによって識別されるカード発行会社によって管理されているカード情報管理システム３００に送信することによって、ギフト管理装置１００及びカード情報管理システム３００（を管理する企業）間における精算処理を円滑に進めることができる。
【００９１】
なお、上記したようにギフトが利用された場合、当該ギフトを識別するためのギフトＩＤに対応づけてギフト情報格納部１０２に格納されているギフト金額情報は０に更新される（上書きされる）。
【００９２】
一方、ステップＳ１２において対象ギフトＩＤがギフト情報格納部１０２に登録されていないと判定された場合、ギフト管理装置１００からユーザ端末２００に対してエラーが通知される（ステップＳ２０）。この場合、例えば対象ギフトＩＤによって識別されるギフトが利用できない旨がユーザ端末２００において表示される。
【００９３】
ここでは、対象ギフトＩＤがギフト情報格納部１０２に登録されている場合には当該対象ギフトＩＤによって識別されるギフトが利用可能であるものとして説明したが、上記した図８に示す画面２１０において対象ギフトＩＤが入力された日が対象ギフトＩＤに対応づけてギフト情報格納部１０２に格納されている有効期限情報によって示される有効期限を経過している場合、または利用開始日情報によって示される利用開始日より前である場合には、ステップＳ２０の処理が実行される構成であってもよい。
【００９４】
また、上記したステップＳ１６においてカード番号が受信された場合に、当該カード番号を例えば当該カード番号によって識別されるカードに関する情報を管理するカード情報管理システム３００に問い合わせ、当該カード番号が正当なものであるかについての認証を行う構成であっても構わない。この場合において、カード番号が正当なものでない場合には、上記したステップＳ２０の処理が実行されても構わない。
【００９５】
上記したように本実施形態においては、ユーザによって指定されたギフトＩＤ、当該ユーザによって指定されたカードの種類を示すカード種類情報及び当該ユーザによって保持されているカードを識別するためのカード番号を受信し、当該受信されたギフトＩＤに対応づけてギフト情報格納部１０２に格納されているギフト金額情報を取得し、当該カード番号及び当該取得されたギフト金額情報を、当該カード種類情報によって示される種類のカードに関する情報を管理するためのカード情報管理システムに送信する構成により、ユーザにとって所望の種類のカードに対してギフトを利用することが可能となる。
【００９６】
つまり、本実施形態においては、複数の種類のカードに対して、サーバ管理型であるかカード管理型であるかを問わず相互に当該各カードの情報を管理するカード情報管理システム３００と接続されていることにより、ギフトＩＤをキー（key）として、ユーザが指定する特定のカード（電子マネー）に同時（リアルタイム処理）または一定時間経過後（バッチ処理）に当該ギフトに対応する金額（バリュー）をチャージすることができる。
【００９７】
また、本実施形態においては、ギフトＩＤに対応づけてカードイシュア情報格納部１０４に格納されているカード種類情報によって示されるカードの種類をユーザに対して提示し、当該提示されたカードの種類のうち当該ユーザによって指定されたカードの種類を示すカード種類情報を受信する構成により、例えばカード発行会社との関係において当該ギフトＩＤによって識別されるギフトが利用可能なカードの種類を予め設定しておき、当該ギフトが利用可能なカードに対してのみギフトを利用させることが可能となる。
【００９８】
また、本実施形態においては、カード種類情報に対応づけてカードイシュア情報格納部１０４に格納されているギフトＩＤを変更する構成により、ギフトＩＤ発行部１０１によってギフトＩＤが発行された際に一旦カードイシュア情報格納部１０４に対して当該ギフトＩＤによって識別されるギフトを利用可能なカードの種類が登録された場合であっても、当該ギフトを利用可能なカードの種類を適宜変更することが可能となる。これにより、本実施形態においては、ギフトがユーザによって利用されるまでの間は、例えばカード発行会社間の関係の変更等に応じて当該ギフトを利用可能なカードの種類を変更する必要が生じた場合であっても、そのような状況に対して柔軟に対応することが可能となる。なお、本実施形態においては、ギフト情報格納部１０２に格納されている有効期限情報、利用開始日情報及びギフト金額情報等についても、一旦ギフト情報格納部１０２に登録された場合であっても適宜変更することが可能である。
【００９９】
また、本実施形態においては、受信されたギフトＩＤがギフト情報格納部１０２に格納されているかを判定し、当該ギフトＩＤがギフト情報格納部１０２に格納されていないと判定された場合、当該ギフトＩＤによって識別されるギフトが利用できない旨をユーザに対して通知する構成により、ギフトＩＤ発行部１０１によって正当に発行されていないギフトＩＤによって識別されるギフトの利用を防止することが可能となる。
【０１００】
また、本実施形態においては、カード情報管理システムからの要求に応じて、同一のカード発行会社ＩＤに対応づけてギフト利用履歴情報格納部１０９に格納されているギフト金額情報を当該カード発行会社ＩＤによって識別されるカード発行会社によって管理されたカード情報管理システムに送信することによって、当該カード発行会社別の取引金額の精算処理等が可能となる。
【０１０１】
上記したように本実施形態に係るギフト管理装置１００において発行されたギフトＩＤ（が記載された配布用カード）は例えばプレゼンター（企業等）に販売され、当該プレゼンターが当該ギフトＩＤをユーザ（消費者）向けのノベルティとして配布し、当該ギフトＩＤを配布されたユーザが当該ギフトをギフト管理装置１００において利用することができる。つまり、本実施形態に係るギフト管理装置１００においてギフトＩＤを発行することよって、例えば企業等から消費者等へのギフトの贈与（つまり、価値の移動）を可能とする。
【０１０２】
また、本実施形態においては、例えば電子マネーカード等に対してギフトが利用されることによって当該ギフトに対応する金額が当該電子マネーカードにチャージされるものとして説明したが、本実施形態に係るギフト管理装置１００は、例えばポイントカードに関する情報を管理するポイント情報管理システムまたはクレジットカードに関する情報を管理するクレジットカード情報管理システム等と接続されることにより、ギフトをポイントカードまたはクレジットカードに対して利用することも可能である。例えばポイントカードに対してギフトが利用される場合には、当該ポイントカード番号及び当該ギフトに対応するポイントがポイントカード情報管理システムに送信されることによって、当該ポイントが当該ポイントカードに蓄積される構成であっても構わない。また、クレジットカードに対してギフトが利用される場合には、当該クレジットカード番号及び当該ギフトに対応する金額情報がクレジットカード情報管理システムに送信されることによって、当該金額が当該クレジットカードにおける支払金額から減額される構成であっても構わない。
【０１０３】
［第２の実施形態］
次に、図１２を参照して、本発明の第２の実施形態について説明する。図１２は、本実施形態に係るギフト管理装置４００の主として機能構成を示すブロック図である。なお、前述した図１と同様の部分には同一参照符号を付してその詳しい説明を省略する。ここでは、図１と異なる部分について主に述べる。
【０１０４】
図１２に示すように、本実施形態に係るギフト管理装置４００は、前述したユーザ端末２００及びカード情報管理システム３００に加え、販売管理システム５００と通信可能に接続されている。この販売管理システム５００は、例えばネットワーク上での商品等の販売を管理する機能を有する。つまり、ユーザは、例えばユーザ端末２００を利用することによって、販売管理システム５００において商品等を購入することができる。また、ユーザは、この販売管理システム５００において例えば商品を購入する際に、ギフト管理装置４００において管理されるギフトを利用することができる。なお、販売管理システム５００は、例えば販売管理会社等によって管理される。
【０１０５】
本実施形態に係るギフト管理装置４００は、送受信部４０１及びギフト登録処理部４０２を含む。
【０１０６】
送受信部４０１は、前述した第１の実施形態における送受信部１０６の機能に加えて、販売管理システム５００において販売されている商品の金額を示す商品金額情報を当該販売管理システム５００から受信する。
【０１０７】
ギフト登録処理部４０２は、前述した第１の実施形態におけるギフト登録処理部１０８の機能に加えて、送受信部４０１によって受信されたギフトＩＤ（つまり、ユーザに配布された配布用カードに記載されているギフトＩＤ）に対応づけてギフト情報格納部１０２に格納されているギフト金額情報によって示される金額から送受信部４０１によって受信された商品金額情報によって示される商品の金額を減額する。ギフト登録処理部４０２は、減額された後の金額（残額）を示すギフト金額情報を、送受信部４０１によって受信されたギフトＩＤに対応づけてギフト情報格納部１０２に格納されているギフト金額情報に上書きする。
【０１０８】
ここで、図１３のフローチャートを参照して、販売管理システム５００において商品が販売される際にギフトが利用される場合における本実施形態に係るギフト管理装置４００の処理手順について説明する。
【０１０９】
ここでは、ユーザ端末２００を利用するユーザには、上記したようにギフトＩＤ発行部１０１によって発行されたギフトＩＤ（ギフト情報格納部１０２に格納されたギフトＩＤ）が記載された配布用カード（つまり、ギフト）が配布されているものとする。
【０１１０】
ユーザは、ユーザ端末２００を利用して販売管理システム５００において商品を購入する際に、例えば電子決済においてギフトを利用することを選択することができる。この場合、販売管理システム５００は、ギフト管理装置４００に対してユーザが購入した商品の金額を示す商品金額情報を送信する。
【０１１１】
この場合、ギフト管理装置４００に含まれる送受信部４０１は、商品金額情報を販売管理システム５００から受信する（ステップＳ３１）。
【０１１２】
次に、販売管理システム５００において商品を購入したユーザが利用するユーザ端末２００においては、ギフトＩＤを入力するための画面が表示される。ここでは、その詳しい説明を省略するが、前述した図８に示す画面２１０のような画面が表示される。
【０１１３】
ユーザ端末２００においてギフトＩＤ（つまり、ユーザに配布された配布用カードに記載されているギフトＩＤ）が入力された場合、当該ギフトＩＤがユーザ端末２００からギフト管理装置４００に対して送信される。なお、ユーザ端末２００において入力されたギフトＩＤを対象ギフトＩＤと称する。
【０１１４】
この場合、ギフト管理装置４００に含まれる送受信部４０１は、対象ギフトＩＤをユーザ端末２００から受信する（ステップＳ３２）。
【０１１５】
次に、対象ギフトＩＤがギフト情報格納部１０２に登録（格納）されているか否かが判定される（ステップＳ３３）。この処理により、対象ギフトＩＤがギフト管理装置４００（に含まれるギフトＩＤ発行部１０１）によって発行されたギフトＩＤであるか否かが判定される。
【０１１６】
対象ギフトＩＤがギフト情報格納部１０２に登録されていると判定された場合（ステップＳ３３のＮＯ）、当該対象ギフトＩＤによって識別されるギフトを利用して販売管理システム５００において販売された商品の決済が可能である旨が当該販売管理システム５００に対して通知される（ステップＳ３４）。
【０１１７】
次に、ギフト登録処理部４０２は、上記したギフトの利用に応じてギフト情報格納部１０２を更新する処理を実行する（ステップＳ３５）。
【０１１８】
この場合、ギフト登録処理部４０２は、対象ギフトＩＤに対応づけてギフト情報格納部１０２に格納されているギフト金額情報を取得する。ギフト登録処理部４０２は、取得されたギフト金額情報によって示される金額（対象ギフトＩＤによって識別されるギフトに対応する金額）から上記したステップＳ３１において受信された商品金額情報によって示される商品の金額（代金）を減額処理する。ギフト登録処理部４０２は、減額処理された結果の金額（残額）を示すギフト金額情報を、対象ギフトＩＤに対応づけてギフト情報格納部１０２に格納されているギフト金額情報に上書きする。
【０１１９】
また、ギフト登録処理部４０２は、対象ギフトＩＤに対応づけて当該対象ギフトＩＤによって識別されるギフトが利用された日を示す利用日情報、ギフトを利用して決済された金額（つまり、送受信部４０１によって受信された商品金額情報によって示される商品の金額）を示す金額情報及び販売管理システム５００を管理する販売管理会社を識別するための販売管理会社ＩＤをギフト利用履歴格納部１０９に登録する（ステップＳ３６）。
【０１２０】
このように、ギフト利用履歴格納部１０９には、ギフトの利用履歴が蓄積される。このようなギフト利用履歴格納部１０９を参照することにより、精算処理部１１０は、前述した第１の実施形態におけるカード情報管理システム３００と同様に、販売管理システム５００との間においても精算処理を円滑に進めることができる。
【０１２１】
一方、ステップＳ３３において対象ギフトＩＤがギフト情報格納部１０２に登録されていないと判定された場合、ギフト管理装置４００から販売管理システム５００及びユーザ端末２００に対してエラーが通知される（ステップＳ３７）。具体的には、例えば対象ギフトＩＤによって識別されるギフトを利用して商品の決済ができない旨が販売管理システム５００に対して通知される。また、例えば対象ギフトＩＤによって識別されるギフトが利用できない旨がユーザ端末２００において表示される。なお、前述した第１の実施形態において説明したように、対象ギフトＩＤに対応づけてギフト情報格納部１０２に格納されている有効期限情報及び利用開始日情報に基づいて当該対象ギフトＩＤによって識別されるギフトの有効性が判断される構成であっても構わない。
【０１２２】
上記したような処理が実行されることによって、ユーザは、当該ユーザに対して配布されたギフトの一部を利用して、販売管理システム５００において商品の購入の決済を行うことができる。
【０１２３】
なお、ここでは詳しい説明を省略するが、本実施形態に係るギフト管理装置４００においては前述した第１の実施形態において説明した処理（図７に示す処理）についても実行される。この場合、上記した図１３に示すステップＳ３５において更新された後のギフト金額情報（つまり、減算された残額を示すギフト金額情報）がカード情報管理システム３００に対して送信される。これにより、上記した商品の購入の決済において利用されたギフトの金額の残額をカードにチャージすることが可能となる。
【０１２４】
上記したように本実施形態においては、ユーザによって指定されたギフトＩＤ及び販売管理システム５００において購入された商品の金額を示す商品金額情報を受信し、当該商品金額情報によって示される商品の金額を当該ギフトＩＤに対応づけてギフト情報格納部１０２に格納されているギフト金額情報によって示される金額から減算し、当該減算された残額を示すギフト金額情報を、当該ギフトＩＤに対応づけてギフト情報格納部１０２に格納されているギフト金額情報に上書きする構成により、ユーザは、販売管理システム５００における商品の購入において当該ユーザに配布されたギフト（に対応する金額）の一部を利用することができる。また、本実施形態においては、ギフトＩＤに対応づけてギフト情報格納部１０２に格納されているギフト金額情報によって示される金額（商品の購入において一部が利用されたギフトに対応する金額の残額）を、前述した第１の実施形態と同様にユーザが保持するカードにチャージすることも可能である。
【０１２５】
なお、本実施形態においては、販売管理システム５００における商品の購入においてギフトの一部を利用することができるものとして説明したが、例えばギフトに対応する金額のうちのユーザによって指定された一部（を示すギフト金額情報）をユーザが保持するカードにチャージし、その残額（を示すギフト金額情報）を当該ユーザが保持する別のカードにチャージするような構成とすることも可能である。この場合、ギフト管理装置４００においては、例えば種類が「Ａ」であるカードのカード情報管理システム３００にギフトに対応する金額の一部を示すギフト金額情報が送信され、当該ギフトに対応する金額の当該一部が減算処理された残額を示すギフト金額情報が当該ギフトＩＤに対応づけてギフト情報格納部１０２に格納されているギフト金額情報に上書きされる（更新される）。その後、この残額を示すギフト金額情報が種類が「Ｂ」であるカードのカード情報管理システム３００に送信される。このような構成とすることで、ギフトに対応する金額を異なる複数のカードにチャージすることが可能となる。
【０１２６】
また、本願発明は、上記各実施形態そのままに限定されるものではなく、実施段階ではその要旨を逸脱しない範囲で構成要素を変形して具体化できる。また、上記各実施形態に開示されている複数の構成要素の適宜な組合せにより種々の発明を形成できる。例えば、各実施形態に示される全構成要素から幾つかの構成要素を削除してもよい。更に、異なる実施形態に亘る構成要素を適宜組合せてもよい。  
【符号の説明】
【０１２７】
１００，４００…ギフト管理装置、１０１…ギフトＩＤ発行部、１０２…ギフト情報格納部、１０３…ギフト属性情報格納部、１０４…カードイシュア情報格納部、１０５，４０１…設定変更部、１０６…送受信部、１０７…利用可能カード特定部、１０８，４０２…ギフト登録処理部、１０９…ギフト利用履歴格納部、１１０…精算処理部、２００…ユーザ端末、３００…カード情報管理システム、５００…販売管理システム。
【図１】
0005242727.tif 000002
【図２】
0005242727.tif 000003
【図３】
0005242727.tif 000004
【図４】
0005242727.tif 000005
【図５】
0005242727.tif 000006
【図６】
0005242727.tif 000007
【図７】
0005242727.tif 000008
【図８】
0005242727.tif 000009
【図９】
0005242727.tif 000010
【図１０】
0005242727.tif 000011
【図１１】
0005242727.tif 000012
【図１２】
0005242727.tif 000013
【図１３】
0005242727.tif 000014